(57)【特許請求の範囲】
【請求項１】
下方に開口するカーテンボックス等のボックス枠本体の側板に対し、側部材を重合配置したカーテンボックス等の側部構造において、
上記側部材は、上記ボックス枠本体の側板の外側に係着された重合部と、少なくとも重合部の上下方に一体に延出され、かつ上下部に内向き角渦巻き状の額縁を有する延長部とを備え、
上記側板の上記重合部側には、円弧状係止縁付き係止部と係止溝付き係止部とＬ形係合縁とを形成し、上記重合部の上記側板側には、上記円弧状係止縁付き係止部と係止溝付き係止部とＬ形係合縁に係止する上部係止縁と下部係止縁と係合縁とを形成し、
上記側部材の重合部又は延長部のいずれかの側面位置で、水平の天井板の端縁を突合せて配置した
ことを特徴とするカーテンボックス等の側部構造。
【請求項２】
前記額縁にはビスホールが形成されている、請求項１記載のカーテンボックス等の側部構造。
【請求項３】
前記ボックス枠本体の側板と側部材とを間隔をおいて係着固定した、請求項１記載のカーテンボックス等の側部構造。
【発明の詳細な説明】
【０００１】
【発明の属する技術分野】
本発明は建物躯体の開口部の内側上部に配置されたカーテンボックスやブラインドボックス等の側部と天井との突合せを改善するカーテンボックス等の側部構造に関する。
【０００２】
【従来技術】
一般に、建物躯体の開口部の内側上部にはカーテンボックスやブラインドボックス等が配置されているが、これらのボックス枠の側部には天井の端縁が突合せられている。
【０００３】
ところで、カーテンボックスやブラインドボックスと天井は互いに施工業者が異なり、カーテンボックスやブラインドボックス等のボックス枠は、天井の高さやその端面の正確な位置を理解した上で施工するわけではない。
【０００４】
【発明が解決しようとする課題】
しかしながら、このような施工法による場合は、天井板の高さが必ずしもカーテンボックスやブラインドボックスのボックス枠の側部に突合せられるとは限らない。したがって、天井板の高さとカーテンボックスやブラインドボックスの高さが違いすぎるために隙間ができ、この隙間を埋めるためにさらに別個の部材を取り付けなければならないという問題があった。
【０００５】
本発明は上記問題点を解消し、カーテンボックスやブラインドボックスのボックス枠の側部の上下幅を、天井板の高さを十分に吸収することができるように拡大することにより、天井板を常にカーテンボックスやブラインドボックスの側部に突合せることができるカーテンボックス等の側部構造を提供することをその課題とする。
【０００６】
【課題を解決するための手段】
前記課題を解決するため、本発明に係るカーテンボックス等の側部構造は、下方に開口するカーテンボックス等のボックス枠本体の側板に対し、側部材を重合配置したカーテンボックス等の側部構造において、上記側部材は、上記ボックス枠本体の側板の外側に係着された重合部と、少なくとも重合部の上下方に一体に延出され、かつ上下部に内向き角渦巻き状の額縁を有する延長部とを備え、上記側板の上記重合部側には、円弧状係止縁付き係止部と係止溝付き係止部とＬ形係合縁とを形成し、上記重合部の上記側板側には、上記円弧状係止縁付き係止部と係止溝付き係止部とＬ形係合縁に係止する上部係止縁と下部係止縁と係合縁とを形成し、上記側部材の重合部又は延長部のいずれかの側面位置で、水平の天井板の端縁を突合せて突合せて配置したことを特徴とする。
【０００７】
前記額縁にはビスホールを形成するのが好ましい。
【０００８】
前記ボックス枠本体の側板と側部材とを間隔をおいて係着固定するようにするのがよい。
【０００９】
【発明の実施の形態】
図１において符号１はブラインドボックスを示す。このブラインドボックス１はボックス枠本体１ａと、ボックス枠本体１ａの側部に重合配置された側部材１ｂとから構成されている。
【００１０】
ボックス枠本体１ａは天板２と側板３とから断面がコ字形に形成され、天板２の上部には長手方向にあり溝状の係合溝４が形成され、これらの係合溝４には一定の間隔をおいて止め金具５が係合固定され、さらに止め金具５は吊金具６を介して建物躯体の天井部７に固定されている。これによってボックス枠本体１ａは上記天井部７に吊持されている。
【００１１】
一方の側板３の下方には固定金具８を介して延長側板３ａが取り付けられ、延長側板３ａの下端から外側に直角に水平板９が延長固定されている。水平板９の外側端は障子枠１０に連結されている。障子枠１０は、上記建物躯体の天井部７の端部に形成された垂壁７ａの下部に配設されている。
【００１２】
なお、天板２と側板３にはビスホール１１が形成されている。
【００１３】
他方の側板３の上端には円弧状の係止縁付き係止部１２が形成され、下端には外側に直角に屈曲されたＬ形の係合縁１３が形成され、さらにビスホール１１の直上部にも係止溝付き係止部１４が形成されている。天板２と側板３にはビスホール１１が形成されている。
【００１４】
上記ボックス枠本体１ａの内側にはブラインド１５が配置され、ブラインド１５の吊下げ金具１６はボックス枠本体１ａの内側に弾性的に嵌込みして係止突条１７に係止されている。
【００１５】
次に、側部材１ｂはボックス枠本体１ａの側板３の外側部に間隔をおいて重合配置されるもので、ボックス枠本体１ａの側板３の外側の係止部１２、１４に係着された重合部と、重合部１８の上方に一体に延出された上方延長部１９と、重合部１８の下方に一体に延出された下方延長部２０とから構成されている。そして、重合部１８には、上記側板３の円弧状係止縁付き係止部１２とＬ形係合縁１３と係止溝付き係止部１４にそれぞれ係止可能な上部係止縁２２と係合縁２３と下部係止縁２４とが形成されている。また、重合部１８の上下部係止縁２２、２４とで中空部を形成している。
【００１６】
また、上記側部材１ｂの上下端は内側に屈曲して内向き角渦巻き状の額縁２５が形成されている。額縁２５にも小口蓋３０を固定するためのビスホール１１が形成されている。なお額縁２５のビスホール１１は側板３のビスホール１１と対応する線上位置に形成されている。
【００１７】
上記側部材１ｂは、上記上部係止縁２２と係合縁２３と下部係止縁２５を側板３の円弧状係止縁付き係止部１２とＬ形の係合縁１３と係止溝付き係止部１４にそれぞれ係止させることにより、ボックス枠本体１ａの側板３に重合状態となって固定されている。このとき、ボックス枠本体１ａの側板３と側部材１ｂとは間隔をおいて係着固定され、重合部１８の間は中空状に形成されている。
【００１８】
次に、上記天井部７の下方には天井板２６が配設されている。天井板２６の端縁には側部材１ｂとの間に回し縁２９が配設され、天井板２６の端縁を包むように係合されている。天井板２６は野縁２７を介してＣ形チャンネル材２８に固定されている。チャンネル材２８は建物躯体の天井部７の下方に適宜の固定金具６を介して固定されている。
【００１９】
上記天井板２６の端縁の回し縁２９は側部材１ｂの上方延長部１９の側面位置で突合せ配置されている。
【００２０】
また、ボックス枠本体１ａの天板２と側板３及び側部材１ｂの額縁２５のビスホール１１には小口蓋３０が止着固定されている。
【００２１】
上述のように、上記側部構造によれば、天井板２６の端縁は側部材１ｂの外面に突合せ配置されるものであるが、側部材１ｂの外面は、ボックス枠本体１ａの側板３の外側に係着された重合部１８と、重合部１８の上方に一体に延出された上方延長部１９と、重合部１８の下方に一体に延出された下方延長部２０とから構成され、つまり、天井板２６の端部が突合せられる側部材１ｂは、ボックス枠本体１ａの側板３部分だけでなく、それよりもはるかに上下幅が大きい。したがって、天井板２６がブラインドボックスのボックス枠１の側部の上下幅によって天井板２６の高さを十分に吸収することができ、天井板２６は常にブラインドボックスの側部に突合せることができる。
【００２２】
また、ボックス枠本体１ａの側板３と側部材１ｂの中央の重合部１８の部分とは間隔をおいて係着固定されているから、側部材１ｂの中央の上部係止縁２２と係合縁２３と下部係止縁２４には多少の変形の余裕が得られ、側板３の円弧状係止縁付き係止部１２とＬ形の係合縁１３と係止溝付き係止部１４にそれぞれ確実に係止させることができるとともに、強度も強い中空の重合部１８が得られる。
【００２３】
なお、水平の天井板２６の端縁は、側部材１ｂの重合部１８又は下方延長部２０のいずれかの側面位置で突合せて配置するようにしてもよい。
【００２４】
次に、図２はカーテンボックスで、このカーテンボックス３１はボックス本体３１ａと、ボックス枠本体３１ａの側部に重合配置された側部材３１ｂとから構成されている。
【００２５】
ボックス枠本体３１ａは天板３２と側板３３とから断面が略倒立Ｌ字形に形成され、天板３２の上部には長手方向にあり溝状の係合溝３４が形成され、これらの係合溝３４には一定の間隔をおいて止め金具３５が係合固定され、さらに止め金具３５は建物躯体の天井部７の端部に形成された垂壁７ａの側面に固定されている。
【００２６】
上記天板３２の外側端は障子枠４０に連結されている。障子枠４０は、上記建物躯体の天井部７の端部に形成された垂壁７ａの下部に配設されている。
【００２７】
なお、天板３２と側板３３にはビスホール４１が形成されている。
【００２８】
側板３３の上端には円弧状の係止縁付き係止部４２が形成され、下端には外側に直角に屈曲されたＬ形の係合縁４３が形成され、さらにビスホール４１の直上部にも係止溝付き係合部４４が形成されている。
【００２９】
上記ボックス枠本体３１ａの天板３２の下面には、長手方向に沿って案内レール３９が形成され、案内レール３９にはカーテン３８が吊子を介して摺動可能に取り付けられている。
【００３０】
次に、側部材３１ｂはボックス枠本体３１ａの側板３３の外側部に間隔をおいて重合配置されるもので、ボックス枠本体３１ａの側板３３の外側の係止部４２、４４に係着された重合部４８と、重合部４８の上方に一体に延出された上方延長部４９と、重合部４８の下方に一体に延出された下方延長部５０とから構成されている。上記側板３３と重合部４８と上下部係止縁５２、５４とによって中空部が形成されている。そして、重合部４８には、上記側板３３の円弧状係止縁付き係止部４２とＬ形係合縁４３と係止溝付き係止部４４にそれぞれ係止可能な上部係止縁５２と係合縁５３と下部係止縁５４とが形成されている。
【００３１】
また、上記側部材３１ｂの上下端は内側に屈曲して内向き角渦巻き状の額縁５５が形成されている。額縁５５にも小口蓋３０を固定するためのビスホール４１が形成されている。このビスホール４１は側板３３のビスホール４１と対応する線上位置に配置されている。
【００３２】
上記側部材３１ｂは、上記上部係止縁５２と係合縁５３と下部係止縁５４を側板３３の円弧状係止縁付き係止部４２とＬ形の係合縁４３と係止溝付き係止部４４にそれぞれ係止させることにより、ボックス枠本体３１ａの側板３３に重合状態となって固定されている。このとき、ボックス枠本体３１ａの側板３３と側部材３１ｂとは間隔をおいて係着固定され、ボックス枠本体３１ａの側板３３と側部材３１ｂとの重合部４８の間は中空状に形成されている。
【００３３】
次に、上記天井部７の下方には天井板２６が配設されている。天井板２６の端縁と側部材３１ｂとの間には回し縁２９が配設され、天井板２６の端縁を包むように係合されている。天井板２６は野縁２７を介してＣ形チャンネル材２８に固定されている。チャンネル材２８は建物躯体の天井部７の下方に適宜の固定金具を介して固定されている。
【００３４】
上記天井板２６の端縁の回し縁２９は側部材３１ｂの上方延長部４９の側面位置で突合せ配置されている。
【００３５】
また、ボックス本体３１ａの天板３２と側板３３及び側部材３１ｂの額縁５５のビスホール４１には小口蓋３０が止着固定されている。
【００３６】
上述のように、上記側部構造によれば、天井板２６の端縁は側部材３１ｂの外面に突合せ配置されるものであるが、側部材３１ｂの外面は、ボックス枠本体３１ａの側板３３の外側に係着された重合部４８と、重合部４８の上方に一体に延出された上方延長部４９と、重合部４８の下方に一体に延出された下方延長部５０とから構成され、つまり、天井板２６の端部が突合せられる側部材３１ｂは、ボックス枠本体３１ａの側板３３部分だけでなく、それよりもはるかに上下幅が大きい。したがって、天井板２６がカーテンボックス３１の側部の上下幅によって天井板２６の高さを十分に吸収することができ、天井板２６は常にカーテンボックス３１の側部に突合せることができる。
【００３７】
なお、この場合も、ボックス枠本体３１ａの側板３３と側部材３１ｂの中央の重合部４８の部分とは間隔をおいて係着固定されているから、側部材３１ｂの上部係止縁５２と係合縁５３と下部係止縁５４には多少の変形の余裕が得られ、側板３３の円弧状係止縁付き係止部４２とＬ形の係合縁４３と係止溝付き係止部４４にそれぞれ確実に係止させることができるとともに、強度の高い中空の重合部４８が得られる。
【００３８】
また、側部材３１ｂの重合部４８又は下方延長部５０のいずれかの側面位置で、水平の天井板２６の端縁を突合せて配置するようにしてもよい。
【００３９】
【発明の効果】
請求項１に係る発明によれば、側部材は、上記ボックス枠本体の側部の外側に係着された重合部と、少なくとも重合部の上下方に一体に延出された延長部とを備え、天井板の端部が突合せられる側部材は、重合部と一体の延長部のため、強度が高い側部材となり、かつボックス枠本体の側板部分よりもはるかに上下幅が大きい。したがって、上記側部材の重合部又は延長部のいずれかの側面位置で、天井板の高さを十分に吸収することができ、天井板は上記側部材の重合部又は延長部のいずれかの側面位置で突合せ配置することができる。
側部材は、重合部の下方にも延長部を有するので、天井板の高さがボックス枠本体よりも低い位置に設定されているときでも、側部材の側面位置に突合せ配置することができるとともに、重合部と一体の延長部のため、強度が高い側部材となる。
さらに、内向き角渦巻き状の額縁を有する延長部で、その強度、剛性がさらに増す強い側部材が得られる。
【００４０】
請求項２に係る発明によれば、強度の高い額縁にビスホールが形成されているので、小口蓋を強固に取り付けることができる。
【００４１】
請求項３に係る発明によれば、ボックス枠本体の側板と側部材とを間隔をおいて係着固定したので、側板と側部材の係止部に多少の変形の余裕が得られ、互いに確実に係止させることができる。
【図面の簡単な説明】
【図１】  本発明に係るカーテンボックス枠等の側部構造を示す断面図
【図２】  他の側部構造を示す断面図
【符号の説明】
１ａ、３１ａ  ボックス枠本体
１ｂ、３１ｂ  側部材
１９、４９  上方延長部
２６  天井板
２５、５５  額縁
【図１】
0003694221.tif 000002
【図２】
0003694221.tif 000003